(57)【特許請求の範囲】
【請求項１】
操作穴を有するパネルと、前記パネルの下側に設けられた操作部材と、前記操作部材に設けられて前記操作穴の内部に位置する操作ノブとを有する操作装置において、
前記操作部材には、前記操作穴よりも外周側で前記操作ノブを囲む防水壁部と、前記防水壁部の欠損部に設けられた排水部とを有しており、
前記排水部には、下側に向けて傾斜する排水底面と、前記排水底面を挟む位置で前記防水壁部から連続して立ち上がる排水壁部と、前記排水底面の下流部に連続して前記操作部材から一体に突出する排水突部と、が設けられており、
前記排水底面には、上流側に位置する第１の傾斜面と、前記排水突部に延びる第２の傾斜面とが設けられ、前記第１の傾斜面と前記第２の傾斜面との間に、前記第１の傾斜面および前記第２の傾斜面とは傾き方向が逆向きの減速面が設けられていることを特徴とする操作装置。
【請求項２】
操作穴を有するパネルと、前記パネルの下側に設けられた操作部材と、前記操作部材に設けられて前記操作穴の内部に位置する操作ノブとを有する操作装置において、
前記操作部材には、前記操作穴よりも外周側で前記操作ノブを囲む防水壁部と、前記防水壁部の欠損部に設けられた排水部とを有しており、
前記排水部には、下側に向けて傾斜する排水底面と、前記排水底面を挟む位置で前記防水壁部から連続して立ち上がる排水壁部と、前記排水底面の下流部に連続して前記操作部材から一体に突出する排水突部と、が設けられており、
前記排水底面には、上流側に位置する第１の傾斜面と下流側に位置する第２の傾斜面が設けられており、前記操作部材の中心線と直交する水平面に対する前記第１の傾斜面の角度よりも前記第２の傾斜面の角度が大きいことを特徴とする操作装置。
【請求項３】
操作穴を有するパネルと、前記パネルの下側に設けられた操作部材と、前記操作部材に設けられて前記操作穴の内部に位置する操作ノブとを有する操作装置において、
前記操作部材には、前記操作穴よりも外周側で前記操作ノブを囲む防水壁部と、前記防水壁部の欠損部に設けられた排水部とを有しており、
前記排水部には、下側に向けて傾斜する排水底面と、前記排水底面を挟む位置で前記防水壁部から連続して立ち上がる排水壁部と、前記排水底面の下流部に連続して前記操作部材から一体に突出する排水突部と、が設けられており、
前記排水底面には、上流側に位置する第１の傾斜面と下流側に位置する第２の傾斜面が設けられており、前記操作部材の中心線と直交する水平面に対する前記第１の傾斜面の角度よりも前記第２の傾斜面の角度が小さいことを特徴とする操作装置。
【請求項４】
前記排水壁部どうしの対向方向と直交する垂直面で切断したときの前記排水突部の先端部の形状が鋭角である請求項１ないし３のいずれかに記載の操作装置。
【請求項５】
前記操作部材には、前記操作ノブと前記排水壁部とで挟まれた流路底面が形成され、前記排水底面は、前記流路底面と連続して形成されている請求項１ないし４のいずれかに記載の操作装置。
【請求項６】
前記パネルには、前記操作ノブと前記防水壁部との間に延びる遮水突起が設けられている請求項１ないし５のいずれかに記載の操作装置。
【発明の詳細な説明】
【技術分野】
【０００１】
本発明は、操作ノブの周囲から浸入した液体を排出させる機能を備えた操作装置に関する。
【背景技術】
【０００２】
特許文献１に防水機能を備えたスイッチ装置に関する発明が記載されている。
このスイッチ装置は、上面開口部を有する上部ケースに、中仕切板部が一体に形成されている。中仕切板部には、透孔と、前記透孔の周囲から上向きに立ち上がる切替ノブガイド部が形成されており、前記透孔の内部に切替ノブが配置されている。中仕切板部では、切替ノブガイドの周囲に水抜き凹部が形成されている。上部ガイドの２つの側面に水抜き孔が形成されており、水抜き孔が前記水抜き凹部に連通している。
【０００３】
前記切替ノブは、前記透孔の内部で揺動するものであるが、切替ノブには、前記透孔の上方に対向する屋根部が設けられている。
【０００４】
上部ケースに水が入ると、この水は屋根部を伝わって水抜き凹部に導かれ、さらに水抜き孔から上部ガイドの外へ排出されるようになっている。
【先行技術文献】
【特許文献】
【０００５】
【特許文献１】実開平６−８０２２７号公報
【発明の概要】
【発明が解決しようとする課題】
【０００６】
特許文献１に記載されたスイッチ装置は、上部ケースの中仕切板部に形成された透孔の内部に切替ノブが配置され、この中仕切板部に水抜き凹部と水抜き孔が形成されている。したがって、中仕切板部に落下した水が水抜き凹部から外れたような場合に、前記透孔から上部ケースの内部に水が浸入するおそれがある。
【０００７】
また、特許文献１のスイッチ装置は、その図８に示されるように、水抜き孔が上部ケースの外側面に単に開孔しているだけであるため、水抜き孔から外部へ出てきた水がそのまま上部ケースの外側面を伝わってスイッチ装置の下側へ導かれやすくなり、水をスイッチ装置から離れた位置へ排出するのが難しい。
【０００８】
本発明は上記従来の課題を解決するものであり、水やその他の液体を、機構部や接点部に浸入しないように外部に排出しやすい構造とした操作装置を提供することを目的としている。
【課題を解決するための手段】
【０００９】
本発明は、操作穴を有するパネルと、前記パネルの下側に設けられた操作部材と、前記操作部材に設けられて前記操作穴の内部に位置する操作ノブとを有する操作装置において、
前記操作部材には、前記操作穴よりも外周側で前記操作ノブを囲む防水壁部と、前記防水壁部の欠損部に設けられた排水部とを有しており、
前記排水部には、下側に向けて傾斜する排水底面と、前記排水底面を挟む位置で前記防水壁部から連続して立ち上がる排水壁部と、前記排水底面の下流部に連続して前記操作部材から一体に突出する排水突部と、が設けられており、
（Ａ）前記排水底面には、上流側に位置する第１の傾斜面と、前記排水突部に延びる第２の傾斜面とが設けられ、前記第１の傾斜面と前記第２の傾斜面との間に、前記第１の傾斜面および前記第２の傾斜面とは傾き方向が逆向きの減速面が設けられていること、
（Ｂ）前記排水底面には、上流側に位置する第１の傾斜面と下流側に位置する第２の傾斜面が設けられており、前記操作部材の中心線と直交する水平面に対する前記第１の傾斜面の角度よりも前記第２の傾斜面の角度が大きいこと、
（Ｃ）  前記排水底面には、上流側に位置する第１の傾斜面と下流側に位置する第２の傾斜面が設けられており、前記操作部材の中心線と直交する水平面に対する前記第１の傾斜面の角度よりも前記第２の傾斜面の角度が小さいこと、
のいずれかを特徴とするものである。
【００１０】
本発明の操作装置は、操作部材に防水壁部と排水部とが設けられているため、パネルの操作穴から浸入する水分が、操作部材の上を伝わって排水されるようになり、操作部材の下側の機構部や電気接点部に水分が届きにくくなる。また、排水底面の下流部に排水突部が設けられているため、排水底面から排出される液体が空間内に排出されやすくなり、液体が操作部材の外側面などを伝わりにくくなる。
さらに（Ａ）の構成では、排水底面を液が流れるときに減速面上で一度液が停滞し、その後に液が第２の傾斜面を辿って排出されるため、液が空間内に必要以上に飛散するのを防止しやすくなり、（Ｂ）の構成では、排水底面を流れる液が第２の傾斜面で流速が速くなって、勢いよく空間内に放出されるようになり、（Ｃ）の構成では、排水底面を流れる液が、第２の傾斜面によってやや水平方向へ向けて放出されるようになり、液を操作部材から離れる空間内へ排出しやすくなる。
【００１１】
本発明の操作装置は、前記排水壁部どうしの対向方向と直交する垂直面で切断したときの前記排水突部の先端部の形状が鋭角であることが好ましい。
【００１２】
上記構成では、排水底面を伝わった水などの液が、鋭角な先端部から空間内へ放出されやすくなる。
【００１３】
本発明の操作装置では、前記操作部材には、前記操作ノブと前記排水壁部とで挟まれた流路底面が形成され、前記排水底面は、前記流路底面と連続して形成されていることが好ましい。
【００１４】
上記構成では、排水壁部で囲まれた流路底面に与えられた液をこれよりも低い位置になる排水底面に導きやすくなる。
【００２１】
本発明の操作装置は、前記表面パネルには、前記操作ノブと前記防水壁部との間に延びる遮水突起が設けられていることが好ましい。
【発明の効果】
【００２２】
本発明は、操作部材に排水壁部と排水部とが形成されているため、パネルの操作穴から水などの液が浸入したとしても、液を操作部材から直接に周囲の空間内へ放出することができ、操作部材の下側の機構部や電気接点に液が伝わるのを防止しやすくなる。
【００２３】
また、排水部では排水底面の下流部に、操作部材から突出する排水突部が形成されているため、液を空間に向けて放出させやすく、液が操作部材の外側面を伝わって流れるのを防止しやすくなる。
【図面の簡単な説明】
【００２４】
【図１】本発明の第１の実施の形態の操作装置が設けられたシフトレバー装置の外観を示す斜視図、
【図２】図１に示す操作装置をＩＩ−ＩＩ線で切断した断面図、
【図３】本発明の第１の実施の形態の操作装置に設けられる操作部材の斜視図、
【図４】本発明の第１の実施の形態の操作装置に設けられる操作部材の排水部を示す部分拡大断面図、
【図５】本発明の第２の実施の形態の操作装置に設けられる操作部材の排水部を示す部分拡大断面図、
【図６】本発明の第３の実施の形態の操作装置に設けられる操作部材の排水部を示す部分拡大断面図、
【発明を実施するための形態】
【００２５】
図１に自動車のシフトレバー装置１が示されている。
シフトレバー装置１は、パネル２を有している。パネル２にはシフト案内部３が開口して形成されており、シフト案内部３の内部にシフトレバー４が切換え動作自在に設けられている。シフト案内部３の下側には、シフトレバー４の選択動作により切換えられる切換え検知部材が設けられている。
【００２６】
シフトレバー装置１に本発明の第１の実施の形態の操作装置５が設けられている。操作装置５は押釦装置であり、自動車のパークロック操作やその他の選択操作が行われる。
【００２７】
パネル２は射出成型された合成樹脂製またはダイキャスト成形された金属製である。操作装置５ではパネル２に円形の操作穴２ａが開口している。図２（図１のＩＩ−ＩＩ線の断面図）に示すように、パネル２には、操作穴２ａの周縁から支持ベース２０に向かって下向きに突出する円筒状の遮水突起２ｂが一体に形成されている。
【００２８】
図２に示すように、操作装置５では、パネル２の下側に支持ベース２０が設けられている。支持ベース２０はダイキャスト成型された金属製、または射出成型された合成樹脂製である。パネル２と支持ベース２０は、水平方向（Ｘ方向）に対してやや傾いて配置されている。支持ベース２０には、上方に向けて突出する案内部２１，２２が一体に形成されている。
【００２９】
操作装置５では、パネル２と支持ベース２０との間に操作部材１０が挟まれて設けられている。操作部材１０は射出成型された合成樹脂製またはダイキャスト成形された金属製である。
【００３０】
図２と図３に示すように、操作部材１０の上部には、操作ノブ１１が設けられている。操作ノブ１１は操作部材１０と別体に形成されており、操作部材１０から上方に向けて形成された壁部１９の外周部に操作ノブ１１が装着されて固定されている。ただし操作ノブ１１が操作部材１０と一体に形成されていてもよい。操作ノブ１１は、頂部の操作面１１ａと周囲の円筒状の外周面１１ｂとを有している。
【００３１】
操作部材１０には、操作ノブ１１の下側に摺動部１２ａと摺動部１２ｂが形成されている。操作部材１０に形成された摺動部１２ａは、支持ベース２０に形成された案内部２１の外周面に摺動自在に嵌合し、摺動部１２ｂが案内部２２に摺動自在に嵌合している。また操作ノブ１１の外周面１１ｂが、パネル２形成された遮水突起２ｂの内周面に摺動自在に挿入され、操作面１１ａが操作穴２ａの内部に位置している。このように組み立てられた操作部材１０は、案内部２１，２２と遮水突起２ｂに案内されて進退自在に動作する。図２と図３には、操作部材１０の進退方向に延びる中心線Ｏが示されている。
【００３２】
図示省略されているが、支持ベース２０には、切換え機構としてスイッチ機構が設けられており、また操作部材１０を図示上方へ押し上げる復帰ばね部材が設けられている。操作ノブ１１が操作されていないとき、図２に示すように操作ノブ１１の操作面１１ａはパネル２の表面２ｃとほぼ同一面となっている。図２に示す状態から操作面１１ａが下向きに押されると、操作部材１０が下降し、スイッチ機構が動作させられる。
【００３３】
なお、切換え機構として、スイッチ機構の代わりに、可変抵抗機構やロータリエンコーダなどを設けることが可能である。この場合には、操作ノブを押圧操作しまたは回転操作することで、それぞれの切換え機構が動作させられる。
【００３４】
図２と図３に示すように、操作部材１０の上部には防水壁部１３が一体に形成されている。防水壁部１３は、操作部材１０の上部から上方に向けて立ち上がるように形成されている。防水壁部１３は、操作ノブ１１の外周面１１ｂから外周方向に離れた位置で、外周面１１ｂを囲むように形成されている。操作部材１０の上面では、操作ノブ１１の外周面１１ｂと防水壁部１３の内周面とで挟まれた領域に流路底面１４が形成されている。
【００３５】
図３に示すように、防水壁部１３には１箇所に欠損部が設けられ、この欠損部が排水部１５となっている。排水部１５には、下側に向けて傾斜する排水底面１６と、排水底面１６を挟む位置に設けられた排水壁部１３ａ，１３ａとが設けられている。排水壁部１３ａ，１３ａは、防水壁部１３と連続しており、操作部材１０の上部から上方へ立ち上がるように一体に形成されている。
【００３６】
図３に示すように、流路底面１４には流路傾斜面１４ａが形成されており、流路底面１４は、流路傾斜面１４ａの上部１４ｂから、排水底面１６と隣接する隣接流路底面１４ｃまで、時計方向（α方向）に向けて、面の高さ位置が徐々に低くなるように形成されている。
【００３７】
図２に示すように、また図４で拡大して示すように、排水部１５の排水底面１６は、前記隣接流路底面１４ｃに連続する上流側の第１の傾斜面１６ａと、最も下流側の第２の傾斜面１６ｂと、２つの傾斜面１６ａ，１６ｂの中間に位置する減速面１６ｃとを有している。
【００３８】
排水底面１６の下流側先端部すなわち第２の傾斜面１６ｂの下流側先端部には、排水突部１７が一体に形成されている。排水突部１７は、操作部材１０の排水側先端部１８よりもさらに前方へ突出している。図２と図３に示すように、排水壁部１３ａ，１３ａの対向方向と直交する垂直面（Ｘ−Ｚ面）で排水底面１６を切断したときの断面形状では、排水突部１７の先端の角度θが鋭角になっている。角度θは３０度以上で９０度未満である。θ＝３０度は、排水突部１７を射出成型などで成形できる最下限の角度である。
【００３９】
図４に示すように、前記中心線Ｏと直交する面を水平面Ｈとしたときに、水平面Ｈに対する第１の傾斜面１６ａの角度β１は、第２の傾斜面１６ｂの角度β２よりも大きい。また、減速面１６ｃは、水平面Ｈに対して、第１の傾斜面１６ａおよび第２の傾斜面１６ｂと逆向きに傾斜している。よって、第１の傾斜面１６ａと減速面１６ｃとで、隣接流路底面１４ｃよりも一段低い凹部が形成されている。
【００４０】
なお、第１の傾斜面１６ａと第２の傾斜面１６ｂおよび減速面１６ｃは傾斜平面であってもよいし凸状または凹状に湾曲した湾曲傾斜面であってもよい。
【００４１】
図１に示すシフトレバー装置１において、操作装置５の周囲でパネル２に水やその他の液体が垂らされ、液体がパネル２に開口する操作穴２ａと操作ノブ１１との間に浸入すると、その液体は、操作部材１０の上部の流路底面１４に落ちる。防水壁部１３は、パネル２に形成された遮水突起２ｂの外周側に距離を空けて対向し、遮水突起２ｂの下端が防水壁部１３の上端よりも下側に位置し、遮水突起２ｂの下端が流路底面１４に対向しているため、浸入した液体は防止壁部１３で囲まれた流路底面１４に確実に受け止められる。
【００４２】
防水壁部１３と流路底面１４は一体に形成されているため、防水壁部１３の内面と流路底面１４との境界部は完全に塞がれている。また、図２に示すように、操作ノブ１１の内部には、流路底面１４と一体に形成されて立ち上がる壁部１９が一体に形成されているため、流路底面１４と操作ノブ１１の境界部も完全に塞がれている。そのため、流路底面１４に落下した液体は、操作部材１０の下側に浸透するようなことはなく、流路底面１４を流れて排水部１５に導かれるようになる。
【００４３】
この実施の形態では、シフトレバー装置１を搭載した車両が水平姿勢のときに、図２に示すように、操作装置５は、操作部材１０の中心線Ｏが傾いて、排水部１５が下向きとなっている。したがって、流路底面１４に落下した液体は排水部１５に向けて流れやすくなっている。また、車両の姿勢などにより、中心線Ｏが重力方向へ向き、水平面Ｈが重力方向と垂直に向けられたとしても、図３に示すように、流路底面１４は、流路傾斜面１４ａの上部１４ｂから、排水底面１６と隣接する隣接流路底面１４ｃまで、時計方向（α方向）に向けて、面の高さ位置が徐々に低くなるように形成されているため、流路底面１４に落下した液体は排水部１５に向けて流れやすくなっている。
【００４４】
流路底面１４に落下した液体は、隣接流路底面１４ｃから排水部１５に流出するが、図３に示すように、排水部１５では、排水壁部１３ａ，１３ａの対向間隔が、下流側に向かうにしたがって徐々に狭くなっているため、排水部１５に流れた液体は、排水底面１６に沿って下流側へ集められるように流れる。
【００４５】
図４において矢印で示すように、排水底面１６では、液体が、第１の傾斜面１６ａから減速面１６ｃに流れる。第１の傾斜面１６ａと減速面１６ｃとで凹部が形成されているため、液体は凹部でやや漂って、その量が増えたときに第２の傾斜面１６ｂを流れ、操作部材１０の図示左側の空間内に排出される。液体が第１の傾斜面１６ａと減速面１６ｃとの凹部に漂うことで、この凹部から第２の傾斜面１６ｂに液体が静かに流れ出るようになり、第２の傾斜面１６ｂから流れ出る液体が不用意に周囲の空間に飛散するのを防止できる。
【００４６】
第２の傾斜面１６ｂの最下流部は排水突部１７となっており、排水突部１７は、操作部材１０の排水側先端部１８よりもさらに前方へ突出している。また、図２と図４に示すように、排水突部１７の先端の断面形状は鋭角の角部となっている。したがって、第２の傾斜面１６ｂを流れる液体は、排水突部１７から空間に向けて放出されやすくなり、液体が排水側先端部１８に付着し排水側先端部１８を伝わって下方へ流れる現象を防止しやすくなる。液体が操作部材１０の表面を伝わりにくくなるため、液体が操作部材１０の下側の機構部や配線部に入り込みにくくなる。
【００４７】
前記操作装置５では、防水壁部１３や流路底面１４が、操作部材１０に設けられ、液体が操作部材１０の上面から外側の空間に排出されるようになるため、操作部材１０の下側の機構部などに液体が流れ込む可能性がきわめて低くなる。
【００４８】
図５と図６は本発明の他の実施の形態を示すものであり、排水底面１６の形状を図４と同じ断面図で示している。
【００４９】
図５に示す第２の実施の形態の排水部１５では、排水底面１６が、隣接流路底面１４ｃに連続する上流側の第１の傾斜面１６ｄと、下流側で排水突部１７に至る第２の傾斜面１６ｅとで形成されている。水平面Ｈに対する角度は、第１の傾斜面１６ｄの角度β３よりも２の傾斜面１６ｅの角度β４が大きくなっている。
【００５０】
図５に示す排水部１５では、隣接流路底面１４ｃから排水底面１６に流れ出た液体が、比較的小さい角度β３で傾斜する第１の傾斜面１６ｄに沿って比較的緩やかに流れ、その後は、大きい角度β４の第２の傾斜面１６ｅで加速され、排水突部１７から空間内に排水される。液体が角度の大きい第２の傾斜面１６ｅから空間に排出されることで、液体を操作部材１０の表面に付着させることなく飛ばしやすくなる。
【００５１】
図６に示す第３の実施の形態の排水部１５は、隣接流路底面１４ｃに連続する上流側の第１の傾斜面１６ｆと、下流側で排水突部１７に至る第２の傾斜面１６ｇと、両傾斜面１６ｆ，１６ｇの間に位置する凸曲面形状の加速面１６ｈとを有している。水平面Ｈに対する角度は、第１の傾斜面１６ｆの角度β５が第２の傾斜面１６ｇの角度β６よりも大きくなっている。
【００５２】
図６に示す排水部１５では、第１の傾斜面１６ｆでやや加速されて流れた液体が加速面１６ｈでさらに加速されて第２の傾斜面１６ｇに至る。第２の傾斜面１６ｇは角度がやや緩やかになっているため、第２の傾斜面１６ｇでは、加速面１６ｈで加速された液体の流れを水平方向に矯正しながら空間部に排出することができ、液体を排水突部１７よりも図示左側へ向けてやや遠くに飛ばすことが可能になる。
【００５３】
なお、前記実施の形態では、操作部材１０の１箇所に排水部１５が設けられているが、２箇所またはそれ以上に排水部１５が設けられていてもよい。
【符号の説明】
【００５４】
１  シフトレバー装置
２  パネル
２ａ  操作穴
２ｂ  遮水突起
４  シフトレバー
５  操作装置
１０  操作部材
１１  操作ノブ
１３  防水壁部
１３ａ  排水壁部
１４  流路底面
１５  排水部
１６  排水底面
１６ａ，１６ｄ、１６ｆ  第１の傾斜面
１６ｂ，１６ｅ，１６ｇ  第２の傾斜面
１６ｃ  減速面
１６ｈ  下側面
１７  排水突部
２０  支持ベース
【図１】
0006433853.tif 000002
【図２】
0006433853.tif 000003
【図３】
0006433853.tif 000004
【図４】
0006433853.tif 000005
【図５】
0006433853.tif 000006
【図６】
0006433853.tif 000007